(57)【要約】本発明の目的は、簡単な方法によって、ＲＯＭ部とＲＡＭ部に記録されている主情報又はデータの関連性や、ユーザ情報等を記録することができる、コンカレントＲＯＭ−ＲＡＭ媒体及び、そのコンカレントＲＯＭ−ＲＡＭ媒体に情報を記録又は再生する記憶装置を提供することを目的とする。この目的を達成するために、本発明は、光学的に透明な基板に凹凸等の物理的変化により主情報が記録されているＲＯＭ部と、その上に少なくとも一回以上の主情報の書き込みが可能な記録層として形成されているＲＡＭ部を有し、且つ、ＲＯＭ部には副情報を記録するサブコード領域が設けられているＲＯＭ−ＲＡＭ記録媒体において、ＲＯＭ部のサブコード領域とトラック方向に物理的に略同じ位置に配置されたＲＡＭ部に、副情報を記録するサブコード領域を設けたことを特徴とする。
2004023481.tif 000002
【特許請求の範囲】
【請求項１】
光学的に透明な基板に凹凸等の物理的変化により主情報が記録されているＲＯＭ部と、その上に少なくとも一回以上の主情報の書き込みが可能な記録層として形成されているＲＡＭ部を有し、且つ、ＲＯＭ部には副情報を記録するサブコード領域が設けられているＲＯＭ−ＲＡＭ記録媒体において、
ＲＯＭ部のサブコード領域とトラック方向に物理的に略同じ位置に配置されたＲＡＭ部に、副情報を記録するサブコード領域を設けたことを特徴とするＲＯＭ−ＲＡＭ媒体。
【請求項２】
前記ＲＡＭ部のサブコード領域には、前記ＲＯＭ部の主情報と前記ＲＡＭ部の主情報の間の関連付け情報が記録されることを特徴とする、請求項１に記載のＲＯＭ−ＲＡＭ媒体。
【請求項３】
ＲＯＭ部の主情報と関連付けられたＲＡＭ部の主情報は、前記ＲＡＭ部の主情報を読み取る時に、シームレスに再生される位置に記録されることを特徴とする請求項２に記載のＲＯＭ−ＲＡＭ媒体。
【請求項４】
前記ＲＡＭ部のリードイン領域に設けられたサブコード領域にはユーザ登録情報が記録され、且つ前記ＲＡＭ部のデータ記録領域に設けられたサブコード領域には、ユーザ情報に基づくアクセス管理情報が記録されることを特徴とする、請求項１に記載のＲＯＭ−ＲＡＭ媒体。
【請求項５】
前記ＲＡＭ部のデータ記録領域に設けられたサブコード領域に記録されるユーザ登録情報に基づくアクセス管理情報は、ＲＯＭ部の主情報とＲＡＭ部の主情報の同時再生許可種別を含むことを特徴とする請求項４に記載のＲＯＭ−ＲＡＭ媒体。
【請求項６】
前記ＲＡＭ部のリードイン領域に設けられたサブコード領域にはデータのアクセスカウント情報が記録され、且つデータのアクセスカウント情報はＲＯＭデータとＲＡＭデータの同時再生の履歴情報を含むことを特徴とする請求項４に記載のＲＯＭ−ＲＡＭ媒体。
【請求項７】
請求項１に記載のＲＯＭ−ＲＡＭ媒体に情報を記録し又は、前記ＲＯＭ−ＲＡＭ媒体から情報を再生する、記憶装置。
【請求項８】
光学的に透明な基板に凹凸等の物理的変化により主情報が記録されているＲＯＭ部と、その上に少なくとも一回以上の主情報の書き込みが可能な記録層として形成されているＲＡＭ部を有するＲＯＭ−ＲＡＭ記録媒体に情報を記録し、又は、前記ＲＯＭ−ＲＡＭ記録媒体から前記情報を再生する、記憶装置において、ＲＯＭ情報とＲＡＭ情報からなる錠を生成する手段と、前記錠から鍵を生成する手段と、前記錠から生成された前記鍵と前記記憶装置に入力された鍵との一致を検出する手段を有するユーザ認識手段を有することを特徴とする記憶装置。
【請求項９】
前記ＲＯＭ情報とＲＡＭ情報は、トラック方向に物理的に略同じ位置に記録されていることを特徴とする、請求項８に記載の記憶装置。
【発明の詳細な説明】
【技術分野】  本発明は、光学式記録媒体に関連し、特に、光学的に透明な基板にピット等のような凹凸等の物理的変化により主情報が記録されているＲＯＭ部と、その上に少なくとも一回以上の主情報の書き込みが可能な記録層として形成されているＲＡＭ部を有し、且つ、ＲＯＭ部には副情報を記録するサブコード領域が設けられているＲＯＭ−ＲＡＭ記録媒体及びその記憶装置に関連する。
【背景技術】  ピットのような凹凸等の物理的変化により情報が記録されているＲＯＭ（Ｒｅａｄ  Ｏｎｌｙ  Ｍｅｍｏｒｙ）部と、書き込み又は書換え可能な記録層が形成されたＲＡＭ（Ｒａｎｄｏｍ  Ａｃｃｅｓｓ  Ｍｅｍｏｒｙ）部とを一枚に収めた従来の媒体としては、例えば、いわゆるパーシャルＲＯＭ等の媒体がある。パーシャルＲＯＭ媒体では、ＲＯＭ部とＲＡＭ部が、１つの光ディスク上の別々の領域に記録されている。
このような、１つの光ディスク上にＲＯＭ部とＲＡＭ部を有する媒体においては、光ディスクのＲＯＭ部とＲＡＭ部に記録されたデータ中に、ＲＯＭ部とＲＡＭ部から再生される信号の同期を確立するための、同期フラグを埋め込む。そして、データの再生時に、リードチャネルにより、この同期フラグを認識して、ＲＯＭ部とＲＡＭ部から再生されたデータを、再度結合させることにより、再生する。
しかし、パーシャルＲＯＭ媒体では、上述のように、ＲＯＭ部とＲＡＭ部は、１つの光ディスク上の別々の領域に記録されている。従って、ＲＯＭ部とＲＡＭ部から各々に記録されているデータを再生し、これらのデータを結合して、使用するようなシステムにおいては、ＲＯＭ部とＲＡＭ部を、光ピックアップによりアクセスを行って、それぞれの領域からデータを再生することが必要であるので、ＲＯＭ部とＲＡＭ部の間を、ピックアップが常に移動してアクセスすることが必要となる。このために、ＲＯＭ部とＲＡＭ部から再生され且つ同期されるべきデータが、光ピックアップからリードチャネルに送られるのには、かなりの時間遅延が発生してしまう。この結果、再生されたデータの信頼性は低かった。
また、書換え可能媒体においては、アクセスされる領域のアクセス履歴管理や、ある種の登録情報等のようなユーザ情報は、コントロールトラックに書き込んで、記録していた。しかし、コントロールトラックは、大きな容量を確保することができないので、書き込むことのできる情報量が限られていた。
一方、光学的に透明な基板に凹凸等の物理的変化により情報が記録されているＲＯＭ部と、そのＲＯＭ部上に、少なくとも一回以上の書き込みが可能なＲＡＭ部として記録層が形成されている、いわゆるコンカレントＲＯＭ−ＲＡＭ媒体においては、ＲＯＭ部とＲＡＭ部のデータを同時に扱うことができる。
コンカレントＲＯＭ−ＲＡＭ媒体については、例えば、１９９２年発行のテレビジョン学会誌Ｖｏｌ．４６，Ｎｏ．１０，ｐｐ．１３１９〜１３２４の「コンカレントＲＯＭ−ＲＡＭ光ディスクに関する一実現方法」と題する論文には、ＲＯＭ−ＲＡＭによる同時再生が可能なコンカレントＲＯＭ−ＲＡＭ光ディスクが、記載されている。
しかし、ＲＯＭ部とＲＡＭ部のデータを同時に扱うためには、簡単な方法によって、ＲＯＭ部とＲＡＭ部に記録されているデータの関連性を、認識することができることが必要がある。
また、コンカレントＲＯＭ−ＲＡＭ媒体では、ＲＯＭ部には一般的な、例えば、映画や音楽などのコンテンツが記録され、そして、この記録されたコンテンツを、複数のユーザで使用する場合が多い。このために、データ保護や著作権保護の観点から、アクセス履歴等の管理や、種々の登録情報等のユーザ情報の記録及び、そのコンカレントＲＯＭ−ＲＡＭ媒体を使用しようとしているユーザを認識する方法が必要となる。これらの方法は、なるべく簡単に実行できる必要がある。
【発明の開示】
本発明は上記の点に鑑みてなされたもので、簡単な方法によって、ＲＯＭ部とＲＡＭ部に記録されている主情報又はデータの関連性や、ユーザ情報等を記録することができる、コンカレントＲＯＭ−ＲＡＭ媒体及び、そのコンカレントＲＯＭ−ＲＡＭ媒体に情報を記録又は再生する記憶装置を提供することを目的とする。
この目的を達成するために、本発明は、光学的に透明な基板に凹凸等の物理的変化により主情報が記録されているＲＯＭ部と、その上に少なくとも一回以上の主情報の書き込みが可能な記録層として形成されているＲＡＭ部を有し、且つ、ＲＯＭ部には副情報を記録するサブコード領域が設けられているＲＯＭ−ＲＡＭ記録媒体において、
ＲＯＭ部のサブコード領域とトラック方向に物理的に略同じ位置に配置されたＲＡＭ部に、副情報を記録するサブコード領域を設けたことを特徴とする。
本発明によれば、ＲＯＭ部のサブコード領域と近接する又は略同一の位置のＲＡＭ部にサブコード領域を設けることによりＲＡＭ部のデータに様々な管理情報を付加することが可能になる。
本発明の他のＲＯＭ−ＲＡＭ媒体は、ＲＡＭ部のサブコード領域には、ＲＯＭ部の主情報とＲＡＭ部の主情報の間の関連付け情報が記録されることを特徴とする。
本発明によれば、関連付け情報はＲＡＭ部のサブコード領域に記録されているのでデータ再生中にリードイン領域にアクセスし直す必要がなく信頼性の高いシームレス再生が可能となる。
本発明の他のＲＯＭ−ＲＡＭ媒体は、ＲＯＭ部の主情報と関連付けられたＲＡＭ部の主情報は、ＲＡＭ部の主情報を読み取る時に、シームレスに再生される位置に記録されることを特徴とする。
本発明によれば、例えばＲＯＭ部のデータと関連付けられたＲＡＭ部のデータを、ＲＯＭ部のデータと同一の記録トラックに記録するようにできるので、レンズアクチュエータによるアクセスも発生しないのでますます信頼性の高いシームレス再生が可能となる。
本発明の他のＲＯＭ−ＲＡＭ媒体は、ＲＡＭ部のリードイン領域に設けられたサブコード領域にはユーザ登録情報が記録され、且つＲＡＭ部のデータ記録領域に設けられたサブコード領域には、ユーザ情報に基づくアクセス管理情報が記録されることを特徴とする。
本発明によれば、アクセス管理情報はＲＡＭ部のデータ部のサブコード領域に記録されているのでデータ再生中にリードイン領域にアクセスし直す必要がなくデータの保護をはかりながら信頼性の高いシームレス再生が可能となる。
本発明の他のＲＯＭ−ＲＡＭ媒体は、ＲＡＭ部のデータ記録領域に設けられたサブコード領域に記録されるユーザ登録情報に基づくアクセス管理情報は、ＲＯＭ部の主情報とＲＡＭ部の主情報の同時再生許可種別を含むことを特徴とする。
さらに、本発明によれば、同時再生の許可種別に関するアクセス管理情報はＲＡＭ部のデータ部のサブコード領域に記録されているのでユーザ毎に異なる形態での再生を、再生データ単位毎にリードインエリアにアクセスすることなくシームレスに行うことができる。
本発明の他のＲＯＭ−ＲＡＭ媒体は、ＲＡＭ部のリードイン領域に設けられたサブコード領域にはデータのアクセスカウント情報が記録され、且つデータのアクセスカウント情報はＲＯＭデータとＲＡＭデータの同時再生の履歴情報を含むことを特徴とする。
本発明によれば、ＲＯＭ部のデータとＲＡＭ部のデータの同時再生の履歴情報はリードイン領域のサブコード領域に記録されているので素早く情報を収集することが可能となる。
本発明は、前述のＲＯＭ−ＲＡＭ媒体に情報を記録し又は、そのＲＯＭ−ＲＡＭ媒体から情報を再生する、記憶装置を提供することを特徴とする。
本発明によれば、前述のＲＯＭ−ＲＡＭ媒体に情報を記録し又は、そのＲＯＭ−ＲＡＭ媒体から情報を再生することが可能となる。
本発明の他の記憶装置は、光学的に透明な基板に凹凸等の物理的変化により主情報が記録されているＲＯＭ部と、その上に少なくとも一回以上の主情報の書き込みが可能な記録層として形成されているＲＡＭ部を有するＲＯＭ−ＲＡＭ記録媒体に情報を記録し、又は、ＲＯＭ−ＲＡＭ記録媒体から情報を再生する、記憶装置において、ＲＯＭ情報とＲＡＭ情報からなる錠を生成する手段と、錠から鍵を生成する手段と、錠から生成された鍵と記憶装置に入力された鍵との一致を検出する手段を有するユーザ認識手段を有することを特徴とする。
媒体の使用を許可するためには、媒体ごとに固有に設けられたＲＯＭ情報を使用する。このＲＯＭ情報はメディアＩＤとして知られている。例えばこのメディアＩＤ情報から所有者を認識するための錠と鍵を生成し、そして、所有者は媒体購入時に、この鍵情報を取得する。これにより所有者はこの媒体にアクセスすることが可能となる。ＲＯＭ−ＲＡＭ媒体は、一般的にＲＯＭ部にはコンテンツを含むことから複数のユーザが存在することが想定される。本発明によれば、例えばＲＯＭ情報であるメディアＩＤ情報と所有者が作成するＲＡＭ情報とを合せた情報によってユーザ認識のための錠と鍵を生成する。ユーザは所有者より何らかの手段でこの鍵情報を取得する。一般的には、所有者は複数の媒体を管理している。従って、ユーザを認識するために、錠と鍵を重複なく作成して、管理するのは労力を要する。ユーザ認識のために、錠と鍵を生成する基礎となる情報の一部として、媒体一枚づつに固有に設けられたＲＯＭ情報であるメディアＩＤの情報を使用すれば、所有者が、同じユーザに同じＲＡＭ情報を割当てても、媒体毎には異なった錠と鍵が生成される。これによりデータの保護がより確実になる。
本発明の他の記憶装置は、ＲＯＭ情報とＲＡＭ情報は、トラック方向に物理的に略同じ位置に記録されていることを特徴とする、
さらに本発明によれば、ユーザを認識するための錠と鍵を生成するために使用されるＲＯＭ情報をメディアＩＤに限定することなく他のエリアに設けられたＲＯＭ情報を使用しても良い。例えば、所有者が作成するＲＡＭ情報をそのＲＯＭ情報を記録するサブコード領域と、物理的に同一の又は近接するＲＡＭ部のサブコード領域へ記録するようにして、ＲＯＭ−ＲＡＭ同時再生により読み取られたＲＯＭ情報とＲＡＭ情報によりユーザ認識のための錠と鍵を生成する。このように、錠と鍵を生成する基礎となる情報は媒体上の、どの領域に記録されても良くなる。これにより、錠と鍵の記録位置に関する秘匿性が高まり、且つユーザ認識のための不要なアクセスがさらに減少する。
【図面の簡単な説明】  本発明の他の目的、特徴及び利点は、添付の図面を参照しながら以下の詳細な説明を読むことにより一層明瞭となるであろう。
図１は、本発明に従ったコンカレントＲＯＭ−ＲＡＭ媒体を示す図である。
図２は、本発明に従ったコンカレントＲＯＭ−ＲＡＭ媒体の記録マークを示す図である。
図３は、本発明に従ったコンカレントＲＯＭ−ＲＡＭ媒体の断面図を示す図である。
図４は、ＲＯＭ−ＲＡＭ媒体とその記録・再生装置の構成例を示す図である。
図５は、各動作モード毎のＬＤフィードバック信号と、ＲＯＭ再生信号及び、ＲＡＭ再生信号を示す図である。
図６は、コンパクトディスクのデータ部のサブコードの構造を示す図である。
図７Ａは、ＲＯＭ部のサブコードの一構成例を示す図である。
図７Ｂは、ＲＡＭ部のサブコードの一構成例を示す図である。
図８Ａは、ＲＯＭ部のサブコードの一構成例を示す図である。
図８Ｂは、ＲＡＭ部のサブコードの一構成例を示す図である。
図９は、ＲＯＭ部に記録された信号のフォーマットを示す図である。
図１０は、ＲＡＭ部に記録された信号のフォーマットを示す図である。
図１１Ａは、ＲＯＭ−ＲＡＭ媒体の再生状態の簡単な例を示す図である。
図１１Ｂは、ＲＯＭ−ＲＡＭ媒体の再生状態の簡単な例を示す図である。
図１２Ａは、入れ替え情報をリードインエリアに記録している場合を示す図である。
図１２Ｂ、入れ替え情報をＲＡＭ部のデータ部のサブコード領域に記録している場合を示す図である。
図１３、ＲＯＭ部に記録された信号のフォーマットを示す図である。
図１４、ＲＡＭ部に記録された信号のフォーマットを示す図である。
図１５、ユーザＡに対する再生処理を示す図である。
図１６、ユーザＢに対する再生処理を示す図である。
図１７、ユーザＣに対する再生処理を示す図である。
図１８、所有者の認識手段を示す図である。
図１９、ユーザの認識手段を示す図である。
図２０、ユーザの認識手段を示す図である。
図２１、本発明に従って、ユーザを認識するために、メインコントローラ４１５のより実行される、信号処理の概略のブロック図を示す図である。
【発明を実施するための最良の形態】  以下に、本発明を実施するための実施の形態について、図面を用いて説明する。
図１は、本発明に従ったコンカレントＲＯＭ−ＲＡＭ媒体１００を示し、図２は、本発明に従ったコンカレントＲＯＭ−ＲＡＭ媒体の記録マークを示しそして、図３は、本発明に従ったコンカレントＲＯＭ−ＲＡＭ媒体の断面図を示す。
図１に示す本発明に従ったコンカレントＲＯＭ−ＲＡＭ媒体は、ＲＯＭ−ＲＡＭ光ディスク１００を示す。ＲＯＭ−ＲＡＭ光ディスク１００は、らせん状にトラックが形成されており且つ、内周側より、リードイン領域１０１、データ記録領域１０２及びリードアウト領域１０３の領域を有する。図１に示された本発明のＲＯＭ−ＲＡＭ光ディスクは、は、コンパクトディスク（ＣＤ）と同様に、中心から半径が約５０ｍｍまでの領域に、リードインが形成されている。そして、リードイン領域１０１、データ記録領域１０２及び、リードアウト領域１０３の全面にわたって、位相ピットが形成され、位相ピットの上には、記録層が形成されている。
図２は、本発明に従ったコンカレントＲＯＭ−ＲＡＭ光ディスク１００のに記録された記録マークを示す。ＲＯＭ−ＲＡＭ光ディスク１００は、例えば、マーク２０１、２０２のような、上述のピットにより形成されたマークと、例えば、マーク２０３、２０４、２０５及び、２０６のような、記録層に記録されたマークの両方を有する。線分ＡＢは、トラックに垂直な断面に沿った線を示す。
記録されるデータ領域は、ＲＯＭ部とＲＡＭ部とで、トラック方向に若干ずれていてもよい。
図３は、本発明に従ったＲＯＭ−ＲＡＭ光ディスク１００の断面図を示す。本発明に従ったＲＯＭ−ＲＡＭ光ディスク１００は、基板３０１、誘電体層３０２、光磁気記録層（垂直磁化層）３０３、誘電体層３０４、反射層３０５及びオーバーコート層３０６より構成される。図３における記号ＡとＢは、図２における線分ＡＢのＡ端とＢ端に対応する。図３は、図２における線分ＡＢに沿った断面を示す。図３におけるピット２０１と２０２は、図２におけるピット２０１と２０２に対応する。また、図３における矢印２０３から２０６は、図２における記録マーク２０３から２０６の、磁気記録層３０３の磁化方向を示す。本実施例では、磁化方向は、磁気記録層３０３に対して垂直方向である。
次に、本発明に従ったコンカレントＲＯＭ−ＲＡＭ光ディスク１００の記録再生装置の実施例を説明する。
図４は、ＲＯＭ−ＲＡＭ媒体４１７とその記録再生装置４００の実施例を示す。図４の、記録再生装置４００は、レーザダイオードＬＤ４０１、コリーメータレンズ４１０、偏光ビームスプリッタ４１１、集光レンズ４１２、ＡＰＣフォトディテクタ４１３、増幅器４１４、メインコントローラ４１５、対物レンズ４１６、モータ４１８、第２の偏光ビームスプリッタ４１９、集光レンズ４２０、４分割フォトディテクタ４２２、フォーカスエラー信号生成回路４２３、トラッキングエラー信号生成回路４２４、２ビームウォラントンプリズム４２６、集光レンズ４２７、２分割フォトディテクタ４２８、加算増幅器４２９、差動増幅器４３０、レーザダイオードドライバ４３１、増幅器４３２、４３３、モータドライバ４３４、フォーカス及びトラックアクチュエータ４３５、フォーカス及びトラックアクチュエータドライバ４３６、磁気ヘッドドライバ４３７、磁気ヘッド４３８、インターフェース４３９、入出力回路４４０より構成される。入出力回路４４０は、入出力機器４４１に接続される。
ＲＯＭ−ＲＡＭ媒体４１７の記録層へ情報を記録する場合には、記録する情報が、入出力装置４４１から、入出力回路４４０及びインターフェース４３９を介してメインコントローラ４１５に入力される。メインコントローラ４１５は、記録信号をレーザダイオードドライバ４３１と磁気ヘッドドライバ４３７に送る。レーザダイオードドライバ４３１は、レーザダイオード４０１から書き込み用のレーザ光を出射するように制御し、レーザ光は、コリーメータレンズ４１０により平行光にされて、アクチュエータ４３５内の対物レンズ４１６により、ＲＯＭ−ＲＡＭ媒体４１７に集光照射される。一方、磁気ヘッドドライバ４３７は、記録信号に従って、磁気ヘッド４３８を制御して、ＲＯＭ−ＲＡＭ媒体４１７の記録層へ情報を記録する。
−方、ＲＯＭ−ＲＡＭ媒体４１７からＲＯＭ信号とＲＡＭ信号を再生する場合は次のようである。
レーザダイオード４０１から出射された読み出し用のレーザ光は、コリーメータレンズ４１０により平行光にされて、アクチュエータ４３５内の対物レンズ４１６により、ＲＯＭ−ＲＡＭ媒体４１７に集光照射される。ＲＯＭ−ＲＡＭ媒体４１７からの反射光は偏光ビームスプリッタ４１１により、集光レンズ４１２と第２の偏光ビームスプリッタ４１９へ反射される。第２の偏光ビームスプリッタ４１９は、さらに、入射する光を、集光レンズ４２０と２ビームウォラントンプリズム４２６へ分割して送る。
集光レンズ４２０に送られた光は、４分割フォトディテクタ４２２に入射する。フォーカスエラー信号生成回路４２３、トラッキングエラー信号生成回路４２４は、４分割フォトディテクタ４２２の出力に基づいて、フォーカスエラー信号とトラッキングエラー信号が生成され、メインコントローラ４１５に送られる。メインコントローラ４１５内ではサーボコントローラが、フォーカス及びトラック制御信号をフォーカス及びトラックアクチュエータドライバ４３６へ送り、フォーカス及びトラックアクチュエータドライバ４３６によりアクチュエータ４３５が駆動され、アクチュエータの位置制御が行われる。
一方、２ビームウォラントンプリズム４２６へ入射する光は、集光レンズ４２７を通り、２分割フォトディテクタ４２８へ入射する。２分割ディテクタ４２８の出力は、増幅器４３２と４３３を通り、加算増幅器４２９により位相ピット信号であるＲＯＭ１信号が生成され、そして、差動増幅器４３０によりＭＯ信号であるＲＡＭ信号が生成される。そして、ＲＯＭ１信号とＲＡＭ信号は、メインコントローラ４１５へ送られる。
レーザダイオードドライバ４３１による制御は、次のようである。偏光ビームスプリッタ４１１で反射された、ＲＯＭ−ＲＡＭ媒体４１７の反射光は、集光レンズ４１２により集光されて、ＡＰＣフォトディテクタ４１３へ入射する。
ＡＰＣディテクタ４１３の出力信号は増幅器４１４により増幅器される。増幅器４１４の出力信号はＲＯＭ２信号であり、加算増幅器４２９の出力信号は、ＲＯＭ１信号である。
また、メインコントローラ４１５からは、レーザダイオード４０１を制御するための制御信号ＬＤＣＯＮＴが、レーザダイオードドライバ４３１へ出力される。メインコントローラ４１５からのレーザダイオード４０１を制御するための制御信号ＬＤＣＯＮＴは基本的な読み取り、書込みのパワー指示である。
ここで、ＡＰＣディテクタ４１３から出力された信号を増幅したＲＯＭ２信号と、加算増幅器４２９からの出力信号であるＲＯＭ１信号による、レーザダイオードの制御をＬＤフィードバックと称する。
図５は、各動作モード毎のＬＤフィードバック信号と、ＲＯＭ再生信号及び、ＲＡＭ再生信号を示す。ＲＯＭとＲＡＭを同時に再生するモードでは、ＬＤフィードバック信号として、ＲＯＭ１信号を使用し、ＲＯＭ信号はＲＯＭ２信号から検出し、ＲＡＭ信号は、常に差動増幅器４３０の出力のＲＡＭ信号から検出する。ＲＯＭのみを再生するモードでは、ＬＤフィードバック信号として、ＲＯＭ２信号を使用し、ＲＯＭ信号はＲＯＭ１信号から検出する。ＲＡＭのみを再生するモードでは、ＬＤフィードバック信号として、ＲＯＭ１信号を使用し、ＲＡＭ信号は、常に差動増幅器４３０の出力のＲＡＭ信号から検出する。ＲＯＭを再生しながら同時にＲＡＭに書き込むモードでは、ＬＤフィードバック信号として、ＲＯＭ２信号を使用し、ＲＯＭ信号はＲＯＭ１信号から検出する。
次に、ＲＯＭとＲＡＭを同時に再生するモードについて説明する。
ＲＯＭとＲＡＭを同時に再生するモードでは、位相ピットの上に形成された記録層に記録されたＭＯ信号を読み出す。それゆえ、図４の差動増幅器４３０の出力のＲＡＭ信号には、記録層の下に形成された位相ピットの影響でノイズ成分が重畳される。そこで、加算増幅器４２９の出力のＲＯＭ１信号を、レーザダイオードドライバ４３１にフィードバックして、位相ピットの影響を打ち消すように、レーザダイオード１０１の発光強度を変調するように制御する。理想的にはこのような処理後のＲＯＭ１信号は、振幅が、ＬＤフィードバックループの制御ループゲイン分の１となり、ほぼ平坦な信号になる。
この時に、ＡＰＣディテクタ４１３は、レーザダイオード１０１の発光強度の変調度を検出している。従って、ＡＰＣディテクタ４１３の出力信号、即ち、増幅されたＲＯＭ２信号は、位相ピットの再生信号そのものである。このようにして、ＲＡＭ信号を検出しながら、同時にＲＯＭ信号もＲＯＭ２信号から検出することができる。
図６は、コンパクトディスクのデータ部のサブコード６００の構造を示す。サブコード６００は、同期信号６０１、制御信号６０２、アドレス６０３、データ部６０４、及びＣＲＣ部６０６より構成される。データ部６０４は、Ｐ，Ｑ，Ｒ，Ｓ，Ｔ，Ｕ，Ｖ及びＷチャネルより構成される。
ＲＯＭ−ＲＡＭ媒体においても、ＲＯＭ部とＲＡＭ部それぞれについて、図６に示されたコンパクトディスクのデータ部のサブコード６００と同一の構造を有するサブコード領域を設ける。図７Ａは、ＲＯＭ部のサブコードの一構成例そして、図７ＢはＲＡＭ部のサブコードの一構成例を示す。図８Ａは、ＲＯＭ部のサブコードの一構成例そして、図８ＢはＲＡＭ部のサブコードの一構成例を示す。図７Ａと図７Ｂ及び、図８Ａと図８Ｂで、図６と同一番号を付した部分は、同一の部分を示す。コンパクトディスクの仕様に従うと、サブコードのＰ、Ｑチャネルは使用方法が既に決まっているので、その他の情報は、ＲからＷチャネルに記録する。例えば、ＲＯＭ部のサブコードのデータ部分には、ユーザを識別するための錠を記録することができる。一方、ＲＡＭ部のサブコードのデータ部分には、ユーザを識別するための鍵、所有者ＩＤ、パスワード等を記録することができる。また、ＲＡＭ部のサブコードのデータ部分には、更に、錠を記録しても良い。
本発明においては、ＲＯＭ−ＲＡＭ媒体において、ＲＡＭ部のデータ部のサブコード６００のＲからＷチャネルの何れかに、ＲＯＭ部のデータとの関連付け情報を記録する。
次に、図９、図１０、図１１Ａ及び図１１Ｂを使用して、本発明に従った、ＲＯＭ−ＲＡＭデータの関連付けの実施例について説明する。本実施例は、例えば、電子出版物に、後から修正を入れる場合等に適用することができる。
図９は、ＲＯＭ部に記録された信号のフォーマットを示す。ＲＯＭ部に記録されたデータは、ブロック７１０、７２０、７３０、７４０及び７５０等のブロックにより構成される。各ブロック７１０から７５０は、同期パターン７１１から７５１、サブコード部７１２から７５２、及びユーザデータ部７１３から７５３の各領域より構成される。図６に示されたサブコード６００のデータ部６０４は、サブコード部７１２から７５２の各々に対応する。ユーザデータ部７１３にはＤＡＴＡＲＯＭ１が記録され、ユーザデータ部７２３にはＤＡＴＡＲＯＭ２が記録され、ユーザデータ部７３３にはＤＡＴＡＲＯＭ３が記録され、ユーザデータ部７５３にはＤＡＴＡＲＯＭＸが記録されている。ＲＯＭ−ＲＡＭ媒体には、媒体製造時には、ＲＯＭ部のみが記録され、ＲＡＭ部は未記録のままである。
図１０は、媒体製造後に、ＲＡＭ部に記録された信号のフォーマットを示す。ＲＡＭ部に記録されたデータは、ブロック８１０、８２０、８３０、８４０及び８５０等のブロックにより構成される。各ブロック８１０から８５０は、同期パターン８１１から８５１、サブコード部８１２から８５２、及びユーザデータ部８１３から８５３の各領域より構成される。図６に示されたサブコード６００のデータ部６０４は、サブコード部８１２から８５２の各々に対応する。ＲＡＭ部のブロック８１０から８５０は、ＲＯＭ部のブロック７１０から７５０と対応する位置に記録される。図１０では、ＲＡＭ部のユーザデータ部８２３は、ＤＡＴＡＲＡＭ２が記録され、そして、サブコード部８２２には、ＤＡＴＡＲＯＭ２とＤＡＴＡＲＡＭ２を入れ替えて再生する情報（図中はＥＸで表示）を記録されている。
図１１Ａ及び図１１Ｂは、図９に示されたデータを有するＲＯＭ部と、図１０に示されたデータを有するＲＡＭ部を有するＲＯＭ−ＲＡＭ媒体の再生状態を示す。
図１１Ａは、例えば、修正のない当初の電子出版物を、再生する場合を示す。この場合には、ＲＡＭ部にはデータは記憶されていないので、図１１Ａに示すように、ＲＯＭ部の各ブロック７１０から７５０内のユーザデータ部７１３から７５３に記録されたデータが順に再生される。従って、図１１Ａの場合には、ＤＡＴＡＲＯＭ１（９０１）、ＤＡＴＡＲＯＭ２（９０２）、ＤＡＴＡＲＯＭ３（９０３）、そしてＤＡＴＡＲＯＭＸ（９０４）が順に再生される。
一方、図１１Ｂは、当初の電子出版物に対して、修正が行われ、ＲＡＭ部のデータ部８２３に、その修正に対応するデータＤＡＴＡＲＡＭ２が記録された場合の再生を示す。この場合には、最初に図１１Ａに示したのと同様に、ＲＯＭ部のブロック７１０内のユーザデータ部７１３から、ＤＡＴＡＲＯＭ１（１００１）が再生されるが、次は、ＲＡＭ部のサブコード部８２２に記録されている、ＤＡＴＡＲＯＭ２とＤＡＴＡＲＡＭ２を入れ替える情報（図中はＥＸで表示）に基づいて、ＲＡＭ部のユーザデータ部８２３からＤＡＴＡＲＡＭ２（１００２）が再生され、以後は、図１１Ａと同様に、ＤＡＴＡＲＯＭ３（１００３）、そしてＤＡＴＡＲＯＭＸ（１００４）が順に再生される。
この場合、上述のように、ＤＡＴＡＲＡＭ２は、ＤＡＴＡＲＯＭ２の記録されたＲＯＭ部のユーザデータ部７２３と物理的に同じ位置に記録されるように、ＲＡＭ部のユーザデータ部８２３に記録するのが好ましい。
映像電子出版などの応用分野では、シームレスに、即ちトラックジャンプなしに再生されるデータ中に、このような個所が、複数箇所存在する。
図１２Ａは、この入れ替え情報を、図１のリードイン領域１０１に記録している場合のアクセス方法を示す。ステップ１１０１で、再生が指示されると、図４に示された記録再生装置４００は、ステップ１１０２で、図１のＲＡＭ部のリードイン領域１０１をアクセスする。そして、ステップ１１０２で、ＲＡＭ部のリードイン領域１０１に記録された、再生データ情報、関連情報を読み出し、これらの情報に基づいて、ＲＡＭ部の再生するデータブロックを決定する。そして、次にステップ１１０３で、そのデータブロックをアクセスして、データを再生する。所定量のデータが再生された後に、再度、ステップ１１０４で、図１のＲＡＭ部のリードイン領域１０１をアクセスする。そして、上述のステップ１１０２の動作を繰返す。そして、最後に、ステップ１１０５で、データの再生が終了する。
このように、入れ替え情報が、図１のリードイン領域１０１に記録されている場合には、データを再生しているときに、図１のデータ部１０２とリードイン領域１０１の間のアクセスが頻繁に繰返される。従って、シームレス再生が困難になる。
図１２Ｂは、本発明に従って、入れ替え情報をＲＡＭ部のデータ部のサブコード領域に記録している場合のアクセス方法を示す。
図１２Ｂでは、ステップ１２０１で、再生が指示されると、図４に示された記録再生装置４００は、ステップ１２０２で、図１のＲＡＭ部のリードイン領域１０１をアクセスする。そして、ステップ１２０２で、ＲＯＭ部のリードイン領域１０１に記録された、再生データ情報を読み出し、これらの情報に基づいて、ＲＯＭ部の再生するデータブロックを決定する。そして、次にステップ１２０３で、ＲＯＭ部のデータブロックをアクセスして、ＲＯＭ部のデータを再生する。ＲＯＭ部のデータを再生しながら、ＲＡＭ部のサブコード部に記録された、入れ替え情報を再生しながら、再生を継続する。そして、入れ替え情報に従って、ＲＡＭ部に記録されたデータを再生する。ＲＡＭ部の入れ替え部に対応するデータの再生が終了すると、再びＲＯＭ部のデータを再生する。そして、最後に、ステップ１２０５で、データの再生が終了する。
このように、本発明では、入れ替え情報をＲＡＭ部のデータ部のサブコード領域に記録しているので、図１２Ａのように、データの再生中に、リードイン領域１０１への余分なアクセスは発生しない。
次に本発明の他の実施例について説明する。本実施例では、ユーザについてのアクセス管理情報をサブコード部に記録し、そして、アクセス管理情報に従って、ユーザ毎に異なった再生が可能である。ユーザ登録情報は、ＲＡＭ部のリードイン領域に設けられた、サブコード領域に記録される。例えば、本実施例では、３人のユーザＡ、Ｂ及びＣが、ユーザとして登録される。また、ＲＡＭ部のリードイン領域に設けられた、サブコード領域には、ユーザが、ＲＯＭ部及びＲＡＭ部にアクセスした回数及び、ＲＯＭ部とＲＡＭ部を同時に再生した回数等の履歴情報を記録することも可能である。これらの情報を、ＲＡＭ部のリードイン領域に設けられた、サブコード領域に記録することにより、ユーザの管理が容易となる。
図１３と図１４において、図９及び図１０と同一番号を付した構成要素は同一の構成要素を示す。本実施例は、３人の登録されたユーザＡ，Ｂ及びＣについて、ユーザ登録情報に基づくアクセス管理情報により、それぞれアクセス管理を行う実施例である。
図１４では、ＲＡＭ部のサブコード部８１２、８２２及び８３２に、ユーザＡ、Ｂ及びＣについてのアクセス管理情報を記録する。ここで、ＲＡＭ部のサブコード部８１２に記録されている”Ａ”、”Ｂ”及び”−”は、データ部８１３に記録されているＤＡＴＡＲＡＭ１を、ユーザＡとＢは再生できるが、しかし、ユーザＣは再生できないことを示す、同時再生許可種別を表す情報である。ＲＡＭ部のサブコード部８２２に記録されている”Ａ”、”−”及び”−”は、データ部８２３に記録されているＤＡＴＡＲＡＭ２を、ユーザＡは再生できるが、しかし、ユーザＢとＣは再生できないことを示す。また、ＲＡＭ部のサブコード部８４２と８５２に記録されている”−”、”−”及び”−”は、データ部８４３と８５３に記録されているデータは、ユーザＡ、Ｂ及びＣともに再生できないことを示す。
図１５、図１６及び図１７は、ユーザＡ、Ｂ、及びＣのそれぞれに対する再生処理を示す。図１５に示すように、ユーザＡに対しては、ＤＡＴＡＲＯＭ１（１５０１）とＤＡＴＡＲＡＭ１（１５１１）、ＤＡＴＡＲＯＭ２（１５０２）とＤＡＴＡＲＡＭ２（１５１２）、及びＤＡＴＡＲＯＭ３（１５０３）とＤＡＴＡＲＡＭ３（１５１３）の部分のＲＯＭ部とＲＡＭ部の同時再生が可能である。図１６に示すように、ユーザＢに対しては、ＤＡＴＡＲＯＭ１（１５０１）とＤＡＴＡＲＡＭ１（１５１１）の部分のＲＯＭ部とＲＡＭ部の同時再生が可能である。これに対して、図１７に示すように、ユーザＣに対しては、ＤＡＴＡＲＯＭ１（１５０１）からＤＡＴＡＲＯＭＸ（１５０５）のＲＯＭ部のみの再生が可能であり、ＲＡＭ部の再生は禁止される。このように、ＲＡＭ部のデータ部のサブコードにユーザのアクセス情報管理を記録することによりユーザ毎に異なる形態での再生を、再生データ単位毎にリードインエリアにアクセスすることなくシームレスに行うことができる。
次に、図１８、図１９及び図２０を用いて、ＲＯＭ−ＲＡＭ媒体の所有者及び、ユーザの認識手段を示す。ユーザ認識手段は、図４で説明した、ＲＯＭ−ＲＡＭ媒体の記録・再生装置により実行される。
図１８は、ＲＯＭ−ＲＡＭ媒体固有のＲＯＭデータであるメディアＩＤが付加されているＲＯＭ−ＲＡＭ媒体での所有者認識のための鍵を発生する実施例を示す。
ＲＯＭ−ＲＡＭ媒体の所有者認識のための鍵を発生する手段は、ステップ１８０１で、ＲＯＭ−ＲＡＭ媒体から、そのＲＯＭ−ＲＡＭ媒体固有のＲＯＭデータであるメディアＩＤを読み出す。次に、読み出されたメディアＩＤを錠として、ステップ１８０２で、鍵を生成する。そして、ステップ１８０３で、所有者が媒体を購入したときに、鍵を取得することができる。以後、このＲＯＭ−ＲＡＭ媒体を再生するときに、記録再生装置により、所有者情報を入力することが求められたときには、所有者は、この鍵を入力することで再生を継続することができる。
次に本発明に従った、ユーザ認識のための鍵の発生方法について説明する。ＲＯＭ−ＲＡＭ媒体のユーザを認識する鍵を発生する方法は、図４に示された、ＲＯＭ−ＲＡＭ媒体の記録再生装置のメインコントローラ４１５により実行される。
図１９を用いて、ユーザ１に対して、ＲＯＭ−ＲＡＭ媒体Ａの鍵１Ａを発生する方法について説明する。ＲＯＭ−ＲＡＭ媒体のユーザを認識する鍵を発生方法は、ステップ１９０１で、ＲＯＭ−ＲＡＭ媒体Ａから、そのＲＯＭ−ＲＡＭ媒体Ａに固有のＲＯＭデータであるメディアＩＤを読み出す。次に、読み出されたメディアＩＤに基づいて、ステップ１９０２で、所有者がＲＡＭ部のサブコード部分に記録されるＲＡＭ情報１を入力する。このＲＡＭ情報１は、ユーザ１を認識するための情報である。ＲＡＭ情報１は、図４において、入出力機器４４１を介して、ＲＯＭ−ＲＡＭ媒体Ａの所有者が入力し、入出力回路４４０とインターフェース４３９を介して、メインコントローラ４１５に送られる。次に、ステップ１９０３で、読み出されたメディアＩＤと、ＲＯＭ−ＲＡＭ媒体Ａの所有者の入力したＲＡＭ情報１とにより、メディアＩＤとは異なる新たな錠１Ａを発生する。次にステップ１９０４で、読み出されたメディアＩＤとＲＡＭ情報１とにより発生された錠１Ａに基づいて、ユーザ１を認識するための鍵１Ａを発生する。そして、ステップ１９０４で、所有者は、入出力回路４４０を通して、ユーザ１を認識するための鍵１Ａを通知される。このようにして発生したユーザ１に対する鍵１Ａを、所有者からユーザ１に通知することにより、ユーザ１は、鍵を取得することができる。以後、このＲＯＭ−ＲＡＭ媒体Ａを再生するときに、記録再生装置により、ユーザの確認情報を入力することが求められたときには、ユーザ１は、この鍵１Ａを入力することでＲＯＭ−ＲＡＭ媒体Ａの再生を継続することができる。
次に、図２０を用いて、上述と同一のユーザ１に対して、ＲＯＭ−ＲＡＭ媒体Ｂの鍵１Ｂを発生する方法について説明する。ＲＯＭ−ＲＡＭ媒体のユーザを認識する鍵を発生方法は、ステップ２００１で、ＲＯＭ−ＲＡＭ媒体Ｂから、そのＲＯＭ−ＲＡＭ媒体Ｂ固有のＲＯＭデータであるメディアＩＤを読み出す。次に、読み出されたメディアＩＤに基づいて、ステップ２００２で、所有者がＲＡＭ部のサブコード部分に記録されるＲＡＭ情報１を入力する。このＲＡＭ情報１は、ユーザ１を認識するための情報であり、図１９で説明したＲＡＭ情報１と同一の情報である。ＲＡＭ情報１は、図４において、入出力機器４４１を介して、ＲＯＭ−ＲＡＭ媒体Ａの所有者が入力し、入出力回路４４０とインターフェース４３９を介して、メインコントローラ４１５に送られる。次に、ステップ２００３で、読み出されたメディアＩＤと、ＲＯＭ−ＲＡＭ媒体Ｂの所有者の入力したＲＡＭ情報１とにより、メディアＩＤとは異なる新たな錠１Ｂを発生する。この錠１Ｂは、図１９のステップ１９０３で発生される錠１Ａとは異なっている。即ち、同じユーザ１に対して、ＲＯＭ−ＲＡＭ媒体の所有者が、ＲＡＭ情報１を入力しても、対象のＲＯＭ−ＲＡＭ媒体が異なるとメディアＩＤが異なることから、別の錠１Ｂが発生される。これは、所有者がユーザを管理することを容易にする。次にステップ２００４で、読み出されたメディアＩＤとＲＡＭ情報１とにより発生された錠１Ｂに基づいて、ユーザ１を認識するための鍵１Ｂを発生する。そして、ステップ２００４で、ＲＯＭ−ＲＡＭ媒体Ｂの所有者は、入出力回路４４０を通して、ユーザ１を認識するための鍵１Ｂを通知される。このようにして発生したユーザ１に対する鍵１Ｂを、所有者からユーザ１に通知することにより、ユーザ１は、鍵１Ｂを取得することができる。以後、このＲＯＭ−ＲＡＭ媒体Ｂを再生するときに、記録再生装置により、ユーザの確認情報を入力することが求められたときには、ユーザ１は、この鍵１Ｂを入力することでＲＯＭ−ＲＡＭ媒体Ｂの再生を継続することができる。
以上のように、ユーザについての錠と鍵を生成するために、所有者が入力するＲＡＭ情報はユーザ１に対しては、常にＲＡＭ情報１としても、それぞれのＲＯＭ−ＲＡＭ媒体に対して、鍵１Ａ、鍵１Ｂのような、別の鍵が生成される。従って、同じユーザに対しても、ＲＯＭ−ＲＡＭ媒体が異なれば同じ鍵が生成されることがないので、簡単にメディア毎のデータ保護が可能となる。
上述の実施例では、ＲＯＭ情報としてメディアＩＤを使用する実施例について説明した。しかし、ユーザを認識するための錠と鍵を生成するために使用されるＲＯＭ情報をメディアＩＤに限定する必要はなく、他の領域に設けられたＲＯＭ情報を使用しても良い。例えば、所有者が作成するＲＡＭ情報をそのＲＯＭ情報を記録するサブコード領域と、物理的に同一の又は近接するＲＡＭ部のサブコード領域へ記録するようにして、ＲＯＭ−ＲＡＭ同時再生により読み取られたＲＯＭ情報とＲＡＭ情報によりユーザ認識のための錠と鍵を生成する。このように、錠と鍵を生成する基礎となる情報は媒体上の、どの領域に記録されてもい。これにより、錠と鍵の記録位置に関する秘匿性が高まり、且つユーザ認識のための不要なアクセスがさらに減少する。
次に、本発明に従った、ユーザを認識する方法について説明する。ＲＯＭ−ＲＡＭ媒体のユーザを認識する方法は、図４に示された、ＲＯＭ−ＲＡＭ媒体の記録再生装置のメインコントローラ４１５により実行される。図２１は、本発明に従って、ユーザを認識するために、メインコントローラ４１５により実行される、信号処理の概略のブロック図を示す。入力部２１２０には、図４の加算増幅器４２９からメインコントローラ４１５に出力されるＲＯＭ１信号が入力され、入力部２１２１には、図４の増幅器４１４からメインコントローラ４１５に出力されるＲＯＭ２信号が入力され、そして、入力部２１２２には、図４の差動増幅器４３０からメインコントローラ４１５に出力されるＲＡＭ信号が入力される。また、入力部２１２３は、図４のインターフェース４３９からの入力信号を受け、一方、出力部２１２４は、図４のインターフェース４３９へ信号を出力する。
スイッチ２１０１は、図５を用いて前述した実施例に従って、メインコントローラ４１５内でＲＯＭ１又はＲＯＭ２の何れかを選択するように制御される。ＲＯＭ１又はＲＯＭ２の内の選択された信号が、同期信号検出部２１０２に送られ、同期信号が検出される。そして、検出された同期信号に基づいて、主情報及びサブコードのデータ部分が復調部２１０３に送られて復調される。そして復調された信号は、復号部２１０７と鍵生成部２１０８に入力される。
一方、ＲＡＭ信号は、同期信号検出部２１０４に送られ、同期信号が検出される。そして、検出された同期信号に基づいて、主信号とサブコードのデータ部分が復調部２１０５に送られて復調される。そして、復調された信号は、ＲＯＭ部の主情報及びサブコードとの同期を調整するために、遅延部２１０６を介して復号部２１０７と鍵生成部２１０８に入力される。
復号部２１０７は、前述した、ＲＯＭ部とＲＡＭ部のデータの間の関連付け情報や、ユーザのアクセス管理情報を認識してデータを再混合する機能を有する。復号部により、本発明の上述の機能が実現されて、スイッチ２１１０を介して、出力部２１２４に出力され、インターフェース４３９に送られる。スイッチ２１１０は、メインコントローラ４１５内で、復号部２１０７の出力を選択するか又は、比較部２１０９の出力を選択するかが制御される。
また、所有者認識及びユーザ認識については、前述した、所有者認識のための鍵の発生方法、及びユーザ認識のための鍵の発生方法に従って発生された鍵を入力することが要求される。所有者又はユーザが、このＲＯＭ−ＲＡＭ媒体の再生を継続したい場合には、所有者又はユーザは、そのＲＯＭ−ＲＡＭ媒体に対する鍵を入力する。
比較部２１０９は、ＲＯＭ部とＲＡＭ部のサブコードに記録されている鍵と、所有者又はユーザが入力した鍵を比較する。そして、一致又は、不一致の結果が、スイッチ２１１０を介して出力部２１２４に出力され、図４のインターフェース４３９に送られる。
【図１】
2004023481.tif 000003
【図２】
2004023481.tif 000004
【図３】
2004023481.tif 000005
【図４】
2004023481.tif 000006
【図５】
2004023481.tif 000007
【図６】
2004023481.tif 000008
2004023481.tif 000009
2004023481.tif 000010
【図９】
2004023481.tif 000011
【図１０】
2004023481.tif 000012
2004023481.tif 000013
2004023481.tif 000014
【図１３】
2004023481.tif 000015
【図１４】
2004023481.tif 000016
【図１５】
2004023481.tif 000017
【図１６】
2004023481.tif 000018
【図１７】
2004023481.tif 000019
【図１８】
2004023481.tif 000020
【図１９】
2004023481.tif 000021
【図２０】
2004023481.tif 000022
【図２１】
2004023481.tif 000023
【国際調査報告】
2004023481.tif 000024
2004023481.tif 000025
2004023481.tif 000026
2004023481.tif 000027
2004023481.tif 000028
2004023481.tif 000029